(57)【要約】【課題】治療開始のための操作を忘れることを防止可能な神経刺激装置を提供すること。【解決手段】患者の神経に対して電気的刺激を加えるものであり、電気的刺激を開始するための開始操作の入力を受け付けるユーザーインターフェイス部２５と、ユーザーインターフェイス部２５が受け付けた入力に基づいて電気的刺激のためのパルス波を生成して神経へ出力可能な神経刺激部２７と、ユーザーインターフェイス部２５及び神経刺激部２７に接続され入力に基づいて神経刺激部２７を制御する制御部２８と、制御部２８に接続され所定の警報開始信号に基づいて警報を発する警報部２９と、を備え、制御部２８は、入力の有無を検出し、所定時間内に入力が検出されない場合に警報開始信号を生成し警報開始信号を警報部２９へ出力する。【選択図】図２
2015186539.tif 000002
【特許請求の範囲】
【請求項１】
患者の神経に対して電気的刺激を加える神経刺激装置であって、
前記電気的刺激を開始するための開始操作の入力を受け付けるユーザーインターフェイス部と、
前記ユーザーインターフェイス部が受け付けた前記入力に基づいて前記電気的刺激のためのパルス波を生成して前記神経へ出力可能な神経刺激部と、
前記ユーザーインターフェイス部及び前記神経刺激部に接続され前記入力に基づいて前記神経刺激部を制御する制御部と、
前記制御部に接続され所定の警報開始信号に基づいて警報を発する警報部と、
を備え、
前記制御部は、前記入力の有無を検出し、所定時間内に前記入力が検出されない場合に前記警報開始信号を生成し前記警報開始信号を前記警報部へ出力する
神経刺激装置。
【請求項２】
請求項１に記載の神経刺激装置であって、
前記ユーザーインターフェイス部は、
前記開始操作をするための第一入力部と、
前記パルス波の波形を、前記患者への前記神経刺激部の取付時に用いられる第一の波形と、前記患者に対して治療をするための第二の波形とから選択して特定するための第二入力部と、
を備え、
前記神経刺激部は、
前記制御部に接続され前記第一の波形を有する第一のパルス波と前記第二の波形を有する第二のパルス波とを生成する刺激パルス生成回路と、
前記刺激パルス生成回路と前記制御部とに接続され前記第一のパルス波と前記第二のパルス波とから前記第二入力部より特定された波形を有するパルス波を選択する切替回路と、
前記患者に留置可能であり前記切替回路に接続され前記第一のパルス波と前記第二のパルス波とから前記切替回路により選択されたパルス波を前記神経へ伝達する神経刺激用リード部と、
を備え、
前記制御部は、前記第二入力部において前記第二の波形が選択されている場合に限り前記警報開始信号の生成及び出力を許可する
神経刺激装置。
【請求項３】
請求項２に記載の神経刺激装置であって、
前記患者に取り付け可能であり前記制御部に接続され前記患者の状態を示す電気的情報を取得可能な信号取得部をさらに備え、
前記制御部は、前記信号取得部が前記電気的情報を取得している場合に限り前記警報開始信号の生成及び出力を許可する
神経刺激装置。
【発明の詳細な説明】
【技術分野】
【０００１】
本発明は、神経刺激装置に関する。
【背景技術】
【０００２】
従来、経皮的に神経刺激を行う装置が知られている（例えば、特許文献１参照）。特許文献１に記載の装置は、身体に刺激を印加する電極と、刺激パルスを生成する刺激装置と、警報信号発生器とを備えている。特許文献１に記載の装置によれば、患者が周期的に治療を受ける場合に、予め指示されたスケジュールで治療が行われない場合に警報を発することで治療忘れを予防できる。
【先行技術文献】
【特許文献】
【０００３】
【特許文献１】特表２０１０−５０６６１８号公報
【発明の概要】
【発明が解決しようとする課題】
【０００４】
しかしながら、特許文献１に開示された先行技術では、治療周期を気付かせることができるに過ぎず、治療開始スイッチの押し忘れを防止することができない。このため、特許文献１に開示された先行技術では、治療開始すべき状態であるにも拘らず操作者の不注意などにより治療開始スイッチを押し忘れた場合、押し忘れを操作者に認識させることができず、治療が開始されずに患者が放置されてしまい、得られるべき治療効果が得られない可能性がある。
【０００５】
本発明は、上述した事情に鑑みてなされたものであって、その目的は、治療開始のための操作を忘れることを防止可能な神経刺激装置を提供することである。
【課題を解決するための手段】
【０００６】
本発明の一態様は、患者の神経に対して電気的刺激を加える神経刺激装置であって、前記電気的刺激を開始するための開始操作の入力を受け付けるユーザーインターフェイス部と、前記ユーザーインターフェイス部が受け付けた前記入力に基づいて前記電気的刺激のためのパルス波を生成して前記神経へ出力可能な神経刺激部と、前記ユーザーインターフェイス部及び前記神経刺激部に接続され前記入力に基づいて前記神経刺激部を制御する制御部と、前記制御部に接続され所定の警報開始信号に基づいて警報を発する警報部と、を備え、前記制御部は、前記入力の有無を検出し、所定時間内に前記入力が検出されない場合に前記警報開始信号を生成し前記警報開始信号を前記警報部へ出力する神経刺激装置である。
【０００７】
上記態様の神経刺激装置において、前記ユーザーインターフェイス部は、前記開始操作をするための第一入力部と、前記パルス波の波形を、前記患者への前記神経刺激部の取付時に用いられる第一の波形と、前記患者に対して治療をするための第二の波形とから選択して特定するための第二入力部と、を備え、前記神経刺激部は、前記制御部に接続され前記第一の波形を有する第一のパルス波と前記第二の波形を有する第二のパルス波とを生成する刺激パルス生成回路と、前記刺激パルス生成回路と前記制御部とに接続され前記第一のパルス波と前記第二のパルス波とから前記第二入力部より特定された波形を有するパルス波を選択する切替回路と、前記患者に留置可能であり前記切替回路に接続され前記第一のパルス波と前記第二のパルス波とから前記切替回路により選択されたパルス波を前記神経へ伝達する神経刺激用リード部と、を備え、前記制御部は、前記第二入力部において前記第二の波形が選択されている場合に限り前記警報開始信号の生成及び出力を許可してもよい。
【０００８】
上記態様の神経刺激装置は、前記患者に取り付け可能であり前記制御部に接続され前記患者の状態を示す電気的情報を取得可能な信号取得部をさらに備え、前記制御部は、前記信号取得部が前記電気的情報を取得している場合に限り前記警報開始信号の生成及び出力を許可してもよい。
【発明の効果】
【０００９】
本発明によれば、治療開始のための操作を忘れることを防止可能な神経刺激装置を提供することができる。
【図面の簡単な説明】
【００１０】
【図１】本発明の神経刺激装置の一例を示す外観図である。
【図２】同神経刺激装置のブロック構成図である。
【図３】同神経刺激装置のユーザー操作の制御流れを説明するフローチャートである。
【図４】同神経刺激装置のユーザーの無操作警告の制御流れを説明するフローチャートである。
【図５】同神経刺激装置のユーザーのスイッチ操作の制御流れを説明するフローチャートである。
【発明を実施するための形態】
【００１１】
本発明の一実施形態の神経刺激装置について説明する。
以下、本発明に係る神経刺激装置の一実施形態を、図１から図５を参照しながら説明する。図１は、神経刺激装置の一例を示す外観図である。
【００１２】
図１に示すように、神経刺激装置１０は、患者の神経に対して電気的刺激を加えるための装置である。
【００１３】
神経刺激装置１０は、神経刺激装置本体１１と、刺激電極１２、１３と、信号取得電極１４、１５と、を備える。神経刺激装置本体１１は、例えば、樹脂製の筐体１６を有する。筐体１６には、各種電気回路基板や電池等が収納されている。筐体１６の前面には、神経刺激装置１０を使用するユーザーによる操作が行われる操作面１７が設けられている。操作面１７には、第一入力部１８、出力強度設定スイッチ１９、ミュートスイッチ２０、表示用ＬＥＤ２１、警報用ＬＥＤ２２、第二入力部２３、及び出力モード表示ＬＥＤ２４が取り付けられている。
【００１４】
刺激電極１２、１３は、２極の電極で構成されており、血管内に留置して２極間に電位差をかけることで迷走神経を刺激する。なお、ここでは、血管内からの迷走神経刺激を行うが、これとは異なり、神経線維の周囲に直接設置して刺激を行っても構わない。
【００１５】
信号取得電極１４、１５は、体表面に装着可能な電極であり、一方の信号取得電極１４と他方の信号取得電極１５との間の電位差を心電信号として取得する。なお、一対の信号取得電極１４、１５に加えて、商用電源などのノイズを除去したり基線のゆらぎを除去するための電極が別途設けられていてもよい。
【００１６】
第一入力部１８は、刺激出力の開始・停止を切り換えるスイッチであって、ユーザーによって押下されることにより押下の度に状態が切り替わる。なお、本実施形態の第一入力部１８は、オン・オフが順次切り替わる共用のスイッチを有しているが、開始用と、停止用と、の独立した専用スイッチを有していてもよい。
【００１７】
出力強度設定スイッチ１９は、ユーザーによって押下されることにより、第一入力部１８により出力が開始されている際における出力の強弱を切り替えるのに用いられる。出力強度設定スイッチ１９は、押下によって選択された、例えば、１ｍＡ〜１０ｍＡの範囲での定電流制御を行なう。
【００１８】
ミュートスイッチ２０は、ユーザーによって押下されることにより、警告音を一時的に消音するのに用いられる。
【００１９】
表示用ＬＥＤ２１は、出力強度設定スイッチ１９により設定された出力強度を光学的に表示する。
警報用ＬＥＤ２２は、警報を光学的に表示する。本実施形態では、警報用ＬＥＤ２２は、第一入力部１８に対する操作忘れを防止するためのアラームを表示するＬＥＤである。
【００２０】
第二入力部２３は、ユーザーによって押下されることにより、連続モードＣ（ｃｏｎｔｉｎｕｏｕｓ）か、間欠モードＰ（ｐｅｒｉｏｄｉｃ）か、を設定するのに用いられる。連続モードでは、連続してパルスの出力が行われる。連続モードでは、主に、刺激電極１２、１３の設置位置を探索する目的で使用される。医師は、刺激による患者の反応を確認しながら刺激電極１２、１３の設置位置の調整を行う。間欠モードでは、間欠的な出力が行われる。間欠モードでは、例えば、１０秒間オン、５０秒間オフ、の繰り返しといった、治療に最適な間隔で出力が行われる。
出力モード表示ＬＥＤ２４は、ユーザーによって第二入力部２３が押下されることにより設定された、連続モードＣか、間欠モードＰかを光学的に表示する。
【００２１】
図２は、神経刺激装置１０のブロック構成図である。図２に示すように、神経刺激装置１０は、ユーザーインターフェイス部２５と、信号取得部２６と、神経刺激部２７と、制御部２８と、警報部２９と、電源部３０と、を備える。
【００２２】
ユーザーインターフェイス部２５は、電気的刺激を開始するための開始操作の入力等を受け付けるために設けられている。ユーザーインターフェイス部２５は、第一入力部１８と、出力強度設定スイッチ１９と、表示部３１と、表示用ＬＥＤ２１と、を備える。
【００２３】
出力強度設定スイッチ１９は、パルス波の波形を、患者への神経刺激部２７の取付時に用いられる第一の波形と、患者に対して治療をするための第二の波形と、から選択して特定される。
表示部３１は、表示用ＬＥＤ２１を有する。表示部３１は、ユーザーにより、出力強度設定スイッチ１９の設定出力強度を表示用ＬＥＤ２１によって光学的に順次表示するための出力を生成する。
【００２４】
信号取得部２６は、信号取得用リード部３２と、増幅回路３３と、を備える。
信号取得用リード部３２は、図１に示す神経刺激装置本体１１から延びるリードである。なお、信号取得用リード部３２は、神経刺激装置本体１１に対して着脱可能であってもよい。
信号取得用リード部３２は、第一リード３４と、上述の信号取得電極１４、１５とを備える。
第一リード３４は、増幅回路３３と信号取得電極１４、１５とを電気的に接続する。
【００２５】
増幅回路３３は、信号取得電極１４、１５で取得された信号の増幅を行う。増幅回路３３は、通常、数ｍＶ程度である心電信号を、心電信号が解析可能なレベルまで増幅する。
増幅回路３３は、第一リード３４を通じて信号取得電極１４、１５に電気的に接続される。これにより、信号取得部２６は、患者に取り付け可能であって制御部２８に接続されて患者の状態を示す電気的情報として、心電信号を取得する。
【００２６】
神経刺激部２７は、ユーザーインターフェイス部２５が受け付けた入力に基づいて電気的刺激のためのパルス波を生成して神経へ出力する。
神経刺激部２７は、刺激パルス生成部３５と、切替回路３６と、神経刺激用リード部３７と、を備える。
【００２７】
刺激パルス生成部３５は、切替回路３６に接続されていると共に、制御部２８における制御回路４１に接続されている。刺激パルス生成部３５は、第一の波形を有する第一のパルス波と、第二の波形を有する第二のパルス波とを生成する。本実施形態における第一のパルス波は上述の連続モードＣ（ｃｏｎｔｉｎｕｏｕｓ）において使用される連続したパルス波形を有する。本実施形態における第二のパルス波は、上述の間欠モードＰ（ｐｅｒｉｏｄｉｃ）において使用される間欠的なパルス波形を有する。
刺激パルス生成部３５は、動作中は第一のパルス波と第二のパルス波との両方を生成しており、第一のパルス波と第二のパルス波との両方を切替回路３６へ出力する。
なお、刺激パルス生成部３５は、第二入力部２３における波形の選択に対応するパルス波のみを選択的に生成して第二リード４０を通じて刺激電極１２，１３へ出力してもよい。
刺激パルス生成部３５は、後述するＤＡ変換回路３８からの電圧信号に従い、刺激パルスの電流値を決定し、定電流制御による矩形波の信号を生成する。刺激パルス生成部３５は、例えば、パルス幅１００ｍｓｅｃ、パルス周期２０Ｈｚの信号を生成する。パルス振幅は、１ｍＡから１０ｍＡまでの値の範囲で、ユーザーによって設定される。なお、刺激パルス生成部３５は、ここでは定電流制御を行っているが、定電流制御に代えて定電圧制御でもよい。
【００２８】
切替回路３６は、刺激パルス生成部３５と、制御部２８における後述する入出力回路３９とに接続されている。
切替回路３６は、第一のパルス波と第二のパルス波とのどちらを神経刺激用リード部３７へ出力するかを決定する制御信号を入出力回路３９から受ける。すなわち、切替回路３６は、第一のパルス波と第二のパルス波とから第二入力部２３より特定された波形を有するパルス波を選択する。本実施形態では、切替回路３６は、刺激パルス生成部３５からの刺激パルスのオン・オフを切り替えることにより、第一のパルス波と第二のパルス波とのいずれか一方を択一的に選択することにより、神経刺激用リード部３７に対する出力状態の切り替えを行う。
【００２９】
神経刺激用リード部３７は、図１に示す神経刺激装置本体１１から延びるリードである。神経刺激用リード部３７は、患者に留置可能であり、第一のパルス波と第二のパルス波とから、切替回路３６により選択されたパルス波を神経へ伝達して刺激用の電気信号を神経に与える。なお、神経刺激用リード部３７は、神経刺激装置本体１１に対して着脱可能であってもよい。
神経刺激用リード部３７は、第二リード４０と、上述の刺激電極１２，１３とを備える。
第二リード４０は、切替回路３６と刺激電極１２、１３とを電気的に接続する。
【００３０】
制御部２８は、ユーザーインターフェイス部２５、信号取得部２６、神経刺激部２７、警報部２９、及び電源部３０に接続され、ユーザーインターフェイス部２５からの入力に基づいて神経刺激部２７を制御する。
制御部２８は、入出力回路３９と、制御回路４１と、ＡＤ変換回路４２と、ＤＡ変換回路３８と、記憶回路４３と、を備える。
【００３１】
制御部２８は、ユーザーインターフェイス部２５が受け付けた入力の有無を検出し、所定時間内に入力が検出されない場合に警報開始信号を生成して警報開始信号を警報部２９へ出力する。制御部２８は、出力強度設定スイッチ１９において第二の波形が選択されている場合に限り、警報開始信号の生成及び出力を許可する。制御部２８は、信号取得部２６が電気的情報を取得している場合に限り、警報開始信号の生成及び出力を許可する。
【００３２】
制御回路４１は、記憶回路４３に有するメモリ４４に記録されたプログラムに従い制御を行う。制御回路４１は、後述する無操作判定カウンターを内蔵している。制御回路４１は、ＤＡ変換回路３８及び切替回路３６に対して、刺激パルスを生成して刺激電極１２、１３へ伝達するための制御を行う。また、制御回路４１は、出力強度設定スイッチ１９の設定出力強度に対応して表示用ＬＥＤ２１の点灯制御を行う。さらに、制御回路４１は、電源部３０の電源回路５０に接続されて電源部３０を制御する。
また、本実施形態では、制御回路４１は、ＡＤ変換回路４２から与えられた心電信号に基づいて心拍のピークを検出し、そのピーク間隔から心拍数を計算する。
制御回路４１は、警告用ＬＥＤ２２及び後述するブザー４９の制御を行う。本実施形態では、制御回路４１は、心拍数の異常と、第一入力部１８への入力忘れに対して、警告用ＬＥＤ２２及びブザー４９を用いた警告動作を行う。
【００３３】
ＡＤ変換回路４２は、増幅回路３３により増幅されたアナログ心電信号をデジタル信号に変換して制御回路４１に伝達する。
【００３４】
ＤＡ変換回路３８は、制御回路４１の指示により、制御部２８から与えられたデジタル信号をアナログ電圧信号に変換する。ＤＡ変換回路３８から出力された電圧は、刺激パルス生成部３５に送られる。
【００３５】
記憶回路４３は、メモリ４４を有する。記憶回路４３は、ユーザーインターフェイス部２５で設定された設定値をメモリ４４に記憶する。また、メモリ４４には、制御回路４１を動作させるためのプログラムが記憶されていてもよい。
【００３６】
警報部２９は、制御部２８の入出力回路３９に接続された光学的警報部４５と、入出力回路３９に接続された音響的警報部４６とを備える。
光学的警報部４５は、発光回路４７と、警報用ＬＥＤ２２と、を有する。
発光回路４７は、入出力回路３９及び警報用ＬＥＤ２２に接続されている。
光学的警報部４５は、制御部２８から与えられた所定の警報開始信号に基づき、発光回路４７を通じて警報用ＬＥＤ２２を発光させる。
【００３７】
音響的警報部４６は、音源回路４８と、ブザー４９、を備える。
音源回路４８は、入出力回路３９及びブザー４９に接続されている。
音響的警報部４６は、制御部２８から与えられた所定の警報開始信号に基づき、音源回路４８を通じてブザー４９を駆動させる。
【００３８】
電源部３０は、電源回路５０と、蓄電池５１と、を備える。蓄電池５１は、電源回路５０から与えられる電流により充電され、神経刺激装置１０内の各回路に電源を供給する。
【００３９】
次に、本実施形態の神経刺激装置１０の作用について説明する。神経刺激装置１０は、プログラムに従い、刺激電極１２、１３から神経刺激用の電気パルスを出力する。そして、神経刺激装置１０は、体表面に設置した信号取得電極１４、１５から心電信号を入力して心拍数を計測し、患者の心拍数が異常の場合、警告を行う。心拍数異常とは、例えば、３０ｂｐｍ以下の徐脈、２００ｂｐｍ以上の頻脈の状態を意味する。
ユーザーは、設定した電流値に応じてパルスの振幅を、１ｍＡから１０ｍＡまで範囲で設定し、定電流制御を行う。このとき、ユーザーは、連続モード、間欠モード、を選択する。
神経刺激装置１０は、このような一連の治療行為において、探索刺激を停止した状態、あるいは、出力モードを連続モードから間欠モードに切り換えた状態の２つの状態が継続し、他の操作が行われずに一定時間が経過した場合、次の操作を促すために警告を発する。この警告は、ユーザーが次の操作を開始するまで継続して発せられる。
【００４０】
図３は、神経刺激装置１０のユーザー操作の制御流れを説明するフローチャートである。図３に示すように、まず、電源が投入される（Ｓ１０１）。次に、電流が１ｍＡにデフォルト設定が行われ、出力モードが連続モードに設定され、出力がオフにされる（Ｓ１０２）。
続いて、ユーザーによって、電流レベルが、適切な１ｍＡから５ｍＡに設定変更される（Ｓ１０３）。そのため、出力状態は、オフからオンに変更され、連続モードでの刺激が開始される（Ｓ１０４）。ここでは、治療に適切な電極位置が探索される。そして、出力状態がオンからオフに変更されて、探索刺激が終了される（Ｓ１０５）。
これにより、刺激電極１２、１３の挿入部分の固定や、信号取得電極１４、１５の設置等の適切な処置が行われる。
その後、通常は、ユーザーによって、連続モードが間欠モードに変更される（Ｓ１０６）。
このとき、探索刺激が終了されたにも拘わらず、ユーザーによって連続モードが間欠モードに変更されないままの状態で放置状態となった場合（Ｓ１０７）、警報部２９が駆動され、警報用ＬＥＤ２２の発光、ブザー４９の駆動、のいずれかが駆動されることにより、ユーザーに対して、次のステップ操作が促される（Ｓ１０８）。
連続モードが間欠モードに変更された後に、通常は、ユーザーによって、出力状態が、オフからオンに変更される。
ところが、ユーザーによって連続モードが間欠モードに変更されないままの状態で放置状態となった場合（Ｓ１１０）、警報部２９が駆動され、警報用ＬＥＤ２２の発光、ブザー４９の駆動、のいずれかが駆動されることにより、ユーザーに対して、次のステップ操作が促される（Ｓ１１１）。
そして、所定の治療期間を、例えば、３日間、この状態を保存して治療が行われる（Ｓ１１２）。
【００４１】
図４は、神経刺激装置１０のユーザーの無操作警告の制御流れを説明するフローチャートである。図４に示すように、制御が開始されると、制御部２８の無操作判定カウンターが開始されているか否かが判別される（Ｓ２０１）。そして、無操作判定カウンターが開始されている場合、無操作判定カウンターがインクリメントされる（Ｓ２０２）。このとき、無操作判定カウンターが開始されていない場合、インクリメントしない。
次に、無操作判定カウンターのカウント値が１０分（１０ｍｉｎ）以上であるか否かが判別される（Ｓ２０３）。そして、無操作判定カウンターのカウント値が１０分以上である場合、警報部２９が駆動され、警報用ＬＥＤ２２の発光、ブザー４９の駆動、のいずれかが駆動される（Ｓ２０４）。
このとき、無操作判定カウンターのカウント値が１０分以上でない場合、警報部２９を駆動させない。
【００４２】
図５は、神経刺激装置１０のユーザーのスイッチ操作の制御流れを説明するフローチャートである。図５に示すように、最初に、ユーザーによって、いずれかのスイッチ操作が行われる（Ｓ３０１）。次に、ユーザーによって操作された各スイッチ毎の機能処理が行われる（Ｓ３０２）。続いて、ユーザーによって設定されたモードが間欠モードか連続モドかが判別される（Ｓ３０３）。
ユーザーによって設定されたモードが間欠モードである場合、無操作判定カウンターがカウンタークリアされる（Ｓ３０４）。そして、無操作判定カウンターが開始される（Ｓ３０５）。
これとは異なり、ユーザーによって設定されたモードが連続モードである場合、押下されたスイッチが出力停止か否かが判別される（Ｓ３０６）。ユーザーによって押下されたスイッチが出力停止である場合、無操作判定カウンターがカウンタークリアされる（Ｓ３０７）。そして、無操作判定カウンターが開始される（Ｓ３０８）。
このとき、ユーザーによって押下されたスイッチが出力停止ではない場合、無操作判定カウンターのカウンタークリア及び無操作判定カウンターの開始は行われない。
【００４３】
このように、本実施形態の神経刺激装置１０によれば、制御部２８は、入力の有無を検出し、所定時間内に入力が検出されない場合に警報開始信号を生成し警報開始信号を警報部２９へ出力する。従って、神経刺激装置１０によれば、治療開始のための操作を忘れることを防止して、治療を確実に実施することができる。
【００４４】
また、本実施形態の神経刺激装置１０によれば、制御部２８は、出力強度設定スイッチ１９において第二の波形が選択されている場合に限り警報開始信号の生成及び出力を許可する。従って、神経刺激装置１０によれば、患者に対して治療をしている場合にのみ、警報開始信号の生成及び出力を許可することにより、電力の無駄遣いを防止できる。
【００４５】
また、本実施形態の神経刺激装置１０によれば、制御部２８は、信号取得部２６が電気的情報を取得している場合に限り警報開始信号の生成及び出力を許可する。従って、神経刺激装置１０によれば、患者に対して治療をしている場合にのみ、警報開始信号の生成及び出力を許可することにより、電力の無駄遣いを防止できる。
【符号の説明】
【００４６】
１０  神経刺激装置
１１  神経刺激装置本体
１２、１３  刺激電極
１４、１５  信号取得電極
１６  筐体
１７  操作面
１８  第一入力部
１９  出力強度設定スイッチ
２０  ミュートスイッチ
２１  表示用ＬＥＤ
２２  警報用ＬＥＤ
２３  第二入力部
２４  モード表示ＬＥＤ
２５  ユーザーインターフェイス部
２６  信号取得部
２７  神経刺激部
２８  制御部
２９  警報部
３０  電源部
３１  表示部
３２  信号取得用リード部
３３  増幅回路
３４  第一リード
３５  刺激パルス生成部
３６  切替回路
３７  神経刺激用リード部
３８  ＤＡ変換回路
３９  入出力回路
４０  第二リード
４１  制御回路
４２  ＡＤ変換回路
４３  記憶回路
４４  メモリ
４５  光学的警報部
４６  音響的警報部
４７  発光回路
４８  音源回路
４９  ブザー
５０  電源回路
５１  蓄電池
【図１】
2015186539.tif 000003
【図２】
2015186539.tif 000004
【図３】
2015186539.tif 000005
【図４】
2015186539.tif 000006
【図５】
2015186539.tif 000007